(57)【要約】【課題】  車両のウィンドウが曇ってしまう前に、曇り除去に有効な空調操作を行うよう操作を支援できる車両用情報表示装置を提供すること。【解決手段】  車両のウィンドウの曇りを除去する空調操作の表示を行う表示部４と、車両の空調状態と車両状態を取得する状態検出部２と、車両の空調状態と車両状態からウィンドウの曇りを除去する操作を行ったほうがよいかどうかを判断する操作支援情報判断部３１と、ウィンドウの曇りが発生すると判断する場合に、ウィンドウの曇りを除去する空調操作を表示部４に強調表示させる表示内容制御部３２とを備えた。【選択図】      図１
2006341753.tif 000002
【特許請求の範囲】
【請求項１】
車両の状態を表示する車両用情報表示装置において、
車両のウィンドウの曇りを除去する空調操作の表示を行う空調表示部と、
車両の空調状態と車両状態を取得する状態取得手段と、
車両の空調状態と車両状態から前記ウィンドウの曇りを除去する操作を行ったほうがよいかどうかを判断する操作支援判断手段と、
ウィンドウの曇りが発生すると判断する場合に、ウィンドウの曇りを除去する空調操作を前記空調表示部に強調表示させる表示制御部と、
を備えることを特徴とする車両用情報表示装置。
【発明の詳細な説明】
【技術分野】
【０００１】
本発明は、車両に取り付けられ、表示により情報を乗員に伝達する車両用情報表示装置の技術に関する。
【背景技術】
【０００２】
従来の技術においては、車両の走行状態や運転者の状態等から、運転者が重要視する項目の表示をあらかじめ判断して、その重要視する表示を優先的に表示することで視認性を高めている（例えば、特許文献１参照。）。
【特許文献１】特開平７−１９８４２５号公報
【発明の開示】
【発明が解決しようとする課題】
【０００３】
しかしながら従来技術においては、空調に関し、特に車両のウィンドウの曇りに対する操作の運転者への支援が不十分であった。
【０００４】
本発明は、上記問題点に着目してなされたもので、その目的とするところは、車両のウィンドウが曇ってしまう前に、曇り除去に有効な空調操作を行うよう操作を支援できる車両用情報表示装置を提供することにある。
【課題を解決するための手段】
【０００５】
上述の目的を達成するため、本発明では、車両の状態を表示する車両用情報表示装置において、車両のウィンドウの曇りを除去する空調操作の表示を行う空調表示部と、車両の空調状態と車両状態を取得する状態取得手段と、車両の空調状態と車両状態から前記ウィンドウの曇りを除去する操作を行ったほうがよいかどうかを判断する操作支援判断手段と、ウィンドウの曇りが発生すると判断する場合に、ウィンドウの曇りを除去する空調操作を前記空調表示部に強調表示させる表示制御部と、を備えることを特徴とする。
【発明の効果】
【０００６】
よって、本発明にあっては、空調に関し、特に車両のウィンドウの曇り止め操作を適確に行うよう操作を支援することができ、曇り止めを効果的に行うことができる。
【発明を実施するための最良の形態】
【０００７】
以下、本発明の車両用情報表示装置を実現する実施の形態を、実施例に基づいて説明する。
【実施例１】
【０００８】
まず構成を説明する。
図１は実施例１の車両用情報表示装置のブロック図である。
実施例１の車両用情報表示装置１は、状態検出部２、制御部３、表示部４、電源回路５を主要な構成としている。
状態検出部２（情報取得手段に相当する）は、車両情報網や車両装置から、車速、エンジン回転数、空調状態、ワイパー操作の有無など、車両、空調、運転者操作についての情報を取得する。
制御部３は、操作支援情報判断部３１（操作支援判断手段に相当する）と表示内容制御部３２（表示制御手段に相当する）からなる。
表示部４は、ディスプレイ装置であり、画像による表示を行う。
電源回路５は、車両の電源ラインから車両用情報表示装置１の各部に電源を供給する。
なお、実施例１の車両用情報表示装置１は、車両メータ装置の一部に組み込まれるものとする。車両メータ装置は、車速計、エンジン回転計、水温計、燃料計等をドライバに表示するものである。
【０００９】
作用を説明する。
[操作支援判断処理及び表示制御処理]
図２に示すのは、実施例１の車両用情報表示装置の制御部で実行される操作支援判断処理及び表示制御処理の流れを示すフローチャートで、以下各ステップについて説明する。
【００１０】
ステップＳ１では、車両のACC電源がONとなったかどうかを判断し、ACC電源がONならばステップＳ２へ進み、ACC電源がOFFならばステップＳ１へ戻る。
【００１１】
ステップＳ２では、図３(a)に示すように、標準モードの表示を行う。
【００１２】
ステップＳ３では、車両のワイパーが操作によりONとなっているかどうかを判断し、ワイパーONならばステップＳ４へ進み、ワイパーOFFならばステップＳ７へ進む。
【００１３】
ステップＳ４では、ワイパーONと判断してから、一定時間が経過したかどうかを判断し、経過したならばステップＳ５へ進み、経過していないならば、ステップＳ１へ戻る。一定時間の例として３０secを示す。なお、一度、ステップＳ４により、時間経過をカウントすると、その後、ステップＳ１へ処理を戻し、ステップＳ３からテップＳ４へ処理が移っても、時間経過をリセットしない。
【００１４】
ステップＳ５では、図３(c)に示すように、曇り止めに有効な空調操作をドライバに促すように、表示部４に、外気循環、風向き変更の表示を、大きく、色も変化させるなど強調した表示を行う。
【００１５】
ステップＳ６では、ワイパーが操作でOFFとなったかどうかを判断し、ワイパーOFFならばステップＳ１へ戻るようにし、ワイパーONならばステップＳ５へ戻る。
【００１６】
ステップＳ７では、空調の状態として、ファン速度最大で駆動しているかどうかを判断し、ファン速度最大ならばステップＳ８へ進み、ファン速度最大でないならばステップＳ１へ戻る。
【００１７】
ステップＳ８では、図３(b)に示すように、空調の風量を表示部４に、大きく、色も変化させるなど強調した表示を行う。
【００１８】
ステップＳ９では、空調の状態として、ファン速度最大で駆動しているかどうかを判断し、ファン速度最大ならばステップＳ８へ戻り、ファン速度が最大でないならばステップＳ１へ戻る。
【００１９】
[曇り止めを充分に行う作用]
従来において、ドライバが車両のウィンドウの曇りを除去する空調の操作を行うのは、ウィンドウが曇ってしまった後か、曇り始めた時がほとんどである。
ドライバの良好な視界の確保の観点からは、ウィンドウが曇って視界が悪くなることが無い方が好ましく、適確な曇りの除去が望ましい。
本実施例１では、操作支援情報判断部３１が、ステップＳ３の処理により、ワイパーONを検出することで、雨が降っている環境であることを判断し、ステップＳ４〜Ｓ６の処理により、雨がウィンドウを曇らせるような一定時間以上続いていることを判断し、この場合に表示内容制御部３２により表示部４に曇り止めに有効な空調操作の表示を強調して行う。実施例１では、空調のインテーク状態と空調モードを強調表示している。特に内気循環になっている場合や空調の吹き出し口モードがデフロスタではない場合に、その状態のままでもOKかNGかをドライバに判断してもらうことができる（図３(c)の強調表示部分４１参照）。
これにより、ドライバは曇り止めの操作が促されていることを気づくとともに、どの操作が有効かを確実に知ることができる。
これにより、車両のウィンドウの曇りは適確に除去され、ドライバの視界が良好に保たれることになる。
【００２０】
[頻度の高い操作の支援作用]
空調の風量は、自動的に最適な風量になるよう自動で制御されるものがある。しかし、ドライバの顔に日射が当たる場合など、制御された風量では、不十分として手動で風量を最大にする操作が行われる場合がある。このような場合では、その後に風量最大では強すぎるとして、風量を弱める操作が行われる可能性が非常に高いことになる。また、自動制御の場合において、目標とすべき室温との差が大きい場合などには、空調ファンが最大速度である程度の時間、駆動されることが多く、このことが必ずしもドライバの意思に沿ったものでない場合もある。
【００２１】
実施例１の車両用情報表示装置では、操作支援情報判断部３１がステップＳ７の処理により、空調のファン速度が最大である場合に、空調のファン風量の操作の頻度が増すとして、この操作の表示を表示内容制御部３２が強調表示する（図３(b)の強調表示部分４１参照）。
空調自動制御時に、空調のファン速度が最大になっている場合、そのままでOKかNGかをドライバに判定してもらうことができる。
また、空調を効果的に行うため、乗員が空調風量を最大に操作した後、空調風量を弱める際には、その操作で変化する風量を示す表示が強調表示されているため、操作が行いやすくなる。
【００２２】
[強調表示について]
実施例１の車両用情報表示装置１では、車両メータをディスプレイで表示させ、空調の特定の表示を大きくし、色を変更することにより、強調表示している。車両メータとして、曇り止めの強調表示と、空調風量の強調表示の際の他の表示との大きさ関係、優先度関係を表１に示す。
【００２３】
【表１】
2006341753.tif 000003
【００２４】
このように車両メータとしては、強調表示で大きく表示する場合は、表１のように優先度の低い表示を小さくするなどして、優先度の高い表示が小さくならないように表示を行う。実施例１では、車両メータの表示全体がディスプレイで表示されているため、コストを抑制して強調表示を行う。
【００２５】
次に効果を説明する。
本実施の形態の車両用情報表示装置にあっては、次に列挙する効果を得ることができる。
(1)車両の状態を表示する車両用情報表示装置１において、車両のウィンドウの曇りを除去する空調操作の表示を行う表示部４と、車両の空調状態と車両状態を取得する状態検出部２と、車両の空調状態と車両状態からウィンドウの曇りを除去する操作を行ったほうがよいかどうかを判断する操作支援情報判断部３１と、ウィンドウの曇りが発生すると判断する場合に、ウィンドウの曇りを除去する空調操作を表示部４に強調表示させる表示内容制御部３２とを備えるため、空調に関し、特に車両のウィンドウの曇り止め操作を適確に行うよう操作を支援することができ、曇り止めを効果的に行うことができる。
(2)操作支援情報判断部３１は、空調のファン速度が最大かどうかの情報から空調風量の操作の頻度が増しているかどうかを判断し、表示内容制御部３２は、空調風量の操作の頻度が増していると判断する場合に、空調風量の操作表示を表示部４に強調表示させるため、操作頻度が高い操作を容易に操作することができる。
【００２６】
（その他の実施の形態）
以上、本発明の実施の形態を実施例１に基づいて説明してきたが、本発明の具体的な構成は実施例に限定されるものではなく、発明の要旨を逸脱しない範囲の設計変更等があっても、本発明に含まれる。
実施例１においては、車両用情報表示装置を車両メータ装置に組み込んだ例を示したが、車両メータ装置と別に設けるものであってもよい。
また、実施例１においては、ディスプレイ装置を表示部としたが、他の表示装置であってもよい。
強調表示は、表示の大きさ、色、動き、表示の模様や形状などがあり、そのいずれかで、標準の状態をより強調されているものであればよい。
【産業上の利用可能性】
【００２７】
本願は、車両メータ装置に組み込んだ車両用情報表示装置であり、ディスプレイ装置を実施例として用いたものであるが、一部に表示部を組み込むことにより、メカ式車両メータ装置への利用は容易である。また、ナビゲーション等、車両内で表示を行うものに組み込んで利用することも容易である。
【図面の簡単な説明】
【００２８】
【図１】車両用情報表示装置のブロック図である。
【図２】車両用情報表示装置の制御部で実行される操作支援判断処理及び表示制御処理の流れを示すフローチャートである。
【図３】車両用情報表示装置の表示部の表示例である。
【符号の説明】
【００２９】
１  車両用情報表示装置
２  状態検出部
３  制御部
３１  操作支援情報判断部
３２  表示内容制御部
４  表示部
４１  強調表示部分
５  電源回路
【図１】
2006341753.tif 000004
【図２】
2006341753.tif 000005
【図３】
2006341753.tif 000006